(57)【要約】【課題】ＤＴＰドキュメントの画像差替え作業のミスの低減と、効率の向上をはかる差替えチェックシステムを提供する。【解決手段】ドキュメントレイアウト機能の１つであって、ＤＴＰドキュメント上の、差替えるべきプレビュー画像をドキュメント上で選択、或いは差替えるべき画像フォルダを直接選択する。次に、差替え画像ファイルに直接マークする、或いは選択画像リストファイルフォルダを作成する。差替え作業後の、ＤＴＰドキュメントを走査し、差替えるべき画像が正しく差替えられているかどうかをチェックして警告表示を行う。【選択図】  図３
2004220064.tif 000002
【特許請求の範囲】
【請求項１】
ドキュメントレイアウト機能の１つである差替えチェックシステムであって、
画像ファイルの差替え作業を行うドキュメントを編集する編集手段と、
差替え画像、又は差替え画像ファイルを選択する、差替え画像指示手段と、
前記選択された差替え画像のファイルにマークするマーク手段と、
前記ドキュメント上の画像の差替え作業終了後に、差替え結果をチェックするチェック手段と、
前記差替えチェックの結果を表示する表示手段と、
を、具備することを特徴とする差替えチェックシステム。
【請求項２】
前記差替え画像指示手段は、前記ドキュメント上で、差替えるべき前記差替え画像を選択し、前記差替え画像からリンクする差替え画像ファイルを指示することを特徴とする請求項１記載の差替えチェックシステム。
【請求項３】
前記差替え画像指示手段は、差替えるべき前記差替え画像ファイル又はファイルフォルダを指示することを特徴とする請求項１記載の差替えチェックシステム。
【請求項４】
前記マーク手段は、前記選択された差替え画像のファイルに、差替えファイルとして選択されたことを示すマークを直接書き込むことを特徴とする請求項１記載の差替えチェックシステム。
【請求項５】
前記マーク手段は、前記選択された差替え画像のファイルリストを作成することを特徴とする請求項１記載の差替えチェックシステム。
【請求項６】
前記チェック手段は、
差替え作業終了後の前記ドキュメントを走査し、
前記ドキュメント上の画像のリンク先のファイルに書き込まれたマークをチェックし、
前記マークが存在する画像は差替えが終了していないと判定することを特徴とする請求項４記載の差替えチェックシステム。
【請求項７】
前記チェック手段は、
差替え作業終了後の前記ドキュメントを走査し、
前記ドキュメント上の画像のリンク先のファイルと、前記選択された差替え画像のファイルリストとを比較し、
前記画像のリンク先のファイルと、前記差替え画像のファイルリストの内容が一致していない画像は差替えが終了していないと判定することを特徴とする請求項５記載の差替えチェックシステム。
【請求項８】
ドキュメントレイアウト機能の１つである差替えチェックシステムにおいて、
画像ファイルの差替え作業を行うドキュメントを編集する編集工程と、
差替え画像、又は差替え画像ファイルを選択する、差替え画像指示工程と、
前記選択された差替え画像のファイルにマークするマーク工程と、
前記ドキュメント上の画像の差替え作業終了後に、差替え結果をチェックするチェック工程と、
前記差替えチェックの結果を表示する表示工程と、
を、具備することを特徴とする差替えチェック方法。
【請求項９】
前記差替え画像指示方法は、前記ドキュメント上で、差替えるべき前記差替え画像を選択し、前記差替え画像からリンクする差替え画像ファイルを指示することを特徴とする請求項８記載の差替えチェック方法。
【請求項１０】
前記差替え画像指示方法は、差替えるべき前記差替え画像ファイル又はファイルフォルダを指示することを特徴とする請求項８記載の差替えチェック方法。
【請求項１１】
前記マーク方法は、前記選択された差替え画像のファイルに、差替えファイルとして選択されたことを示すマークを直接書き込むことを特徴とする請求項８記載の差替えチェック方法。
【請求項１２】
前記マーク方法は、前記選択された差替え画像のファイルリストを作成することを特徴とする請求項８記載の差替えチェック方法。
【請求項１３】
前記チェック方法は、
差替え作業終了後の前記ドキュメントを走査し、
前記ドキュメント上の画像のリンク先のファイルに書き込まれたマークをチェックし、
前記マークが存在する画像は差替えが終了していないと判定することを特徴とする請求項１１記載の差替えチェック方法。
【請求項１４】
前記チェック方法は、
差替え作業終了後の前記ドキュメントを走査し、
前記ドキュメント上の画像のリンク先のファイルと、前記選択された差替え画像のファイルリストとを比較し、
前記画像のリンク先のファイルと、前記差替え画像のファイルリストの内容が一致していない画像は差替えが終了していないと判定することを特徴とする請求項１２記載の差替えチェック方法。
【請求項１５】
コンピュータを、請求項１に記載の差替えチェックシステムとして機能させるプログラム。
【請求項１６】
コンピュータを、請求項１に記載の差替えチェックシステムとして機能させるプログラムを記録した記録媒体。
【発明の詳細な説明】
【０００１】
【発明の属する技術分野】
本発明は、ＤＴＰ編集作業において、レイアウト作成用の低解像度画像を、高解像度画像へ差替えた後の、差替え作業をチェックするシステムに関する。
【０００２】
【従来の技術】
ＤＴＰの編集作業において、デザイナはドキュメントのレイアウト作成時の位置決め用に、低解像度の画像を使用する。そして、印刷会社等において、ＤＴＰドキュメントをイメージセッタ等の出力機へ出力する際、ＤＴＰレイアウトソフト（ドキュメント編集手段）上で手作業で低解像度画像を高解像度画像に差替える作業を行っている。
【０００３】
【発明が解決しようとする課題】
しかしながら、画像点数が多い場合や、差替えるべき画像と、差替える必要のない画像が混在している場合には、差替え作業ミスが生じる可能性が高い。また、差替えの確認作業に手間がかかる等の問題が生じている。
【０００４】
本発明は、このような問題に鑑みてなされたもので、その目的とするところは、ＤＴＰドキュメントの画像差替え作業のミスの低減と、効率の向上にある。
【０００５】
【課題を解決するための手段】
前述した目的を達成するために第１の発明は、ドキュメントレイアウト機能の１つである差替えチェックシステムであって、画像ファイルの差替え作業を行うドキュメントを編集する編集手段と、差替え画像、又は差替え画像ファイルを選択する、差替え画像指示手段と、前記選択された差替え画像のファイルにマークするマーク手段と、前記ドキュメント上の画像の差替え作業終了後に、差替え結果をチェックするチェック手段と、前記差替えチェックの結果を表示する表示手段とを、具備することを特徴とする差替えチェックシステムである。
【０００６】
第１の差替え画像指示手段は、ドキュメント上で、差替えるべき差替え画像を選択し、差替え画像からリンクする差替え画像ファイルを指定する。
また、第２の差替え画像指示手段は、直接、差替えるべき差替え画像ファイル又はファイルフォルダを指定する。
差替えるべき差替え画像とは、ドキュメントのレイアウト作成時に、位置決め用に利用する低解像度画像である。差替え画像ファイルとは、低解像度画像ファイルである。また、差替え終了後には、高解像度画像が配置される。
第１のマーク手段は、選択された差替え画像のファイルに、差替えファイルとして選択されたことを示すマークを直接書き込む。マークは、差替え画像ファイル（即ち低解像度画像ファイル）のコメント行等の中に書き込まれる。
第２のマーク手段は、選択された差替え画像のファイルリストを、新たに作成することである。即ち、差替えるべき差替え画像ファイルを指定してファイルリストを作成する。
第１のチェック手段は、第１のマーク手段でマークされたドキュメントに対し、差替え作業終了後のドキュメントを走査し、ドキュメント上の画像のリンク先のファイルに書き込まれたマークをチェックし、マークが存在する画像は差替えが終了していないと判定する。
第２のチェック手段は、第２のマーク手段、即ち差替え画像のファイルリストを作成したドキュメントに対し、差替え作業終了後のドキュメントを走査し、ドキュメント上の画像のリンク先のファイルと、選択された差替え画像のファイルリストとを比較し、画像のリンク先のファイルと、差替え画像のファイルリストの内容が一致していない画像は差替えが終了していないと判定する。
第１の発明の差替えチェックシステムでは、画像ファイルの差替え作業を行うドキュメントを編集し、差替え画像、又は差替え画像ファイルを選択して、ファイルにマークし、ドキュメント上の画像の差替え作業終了後に、差替え結果をチェックして結果を表示する。
【０００７】
第２の発明は、ドキュメントレイアウト機能の１つである差替えチェックシステムにおいて、画像ファイルの差替え作業を行うドキュメントを編集する編集工程と、差替え画像、又は差替え画像ファイルを選択する、差替え画像指示工程と、前記選択された差替え画像のファイルにマークするマーク工程と、前記ドキュメント上の画像の差替え作業終了後に、差替え結果をチェックするチェック工程と、前記差替えチェックの結果を表示する表示工程とを、具備することを特徴とする差替えチェック方法である。
【０００８】
第２の発明の差替えチェック方法は、画像ファイルの差替え作業を行うドキュメントを編集し、差替え画像、又は差替え画像ファイルを選択して、ファイルにマークし、ドキュメント上の画像の差替え作業終了後に、差替え結果をチェックして結果を表示する。
【０００９】
第３の発明は、請求項１記載の差替えチェックシステムを実現するためのプログラムである。
【００１０】
第３の発明のプログラムは、請求項１記載の差替えチェックシステムを機能させるものであり、このプログラムをネットワークを介して流通させることもできる。
【００１１】
第４の発明は、請求項１記載の差替えチェックシステムを実現するためのプログラムを記録した記録媒体である。
【００１２】
第４の発明の記録媒体は、請求項１記載の差替えチェックシステムを機能させるプログラムを記憶しており、この記録媒体を流通させることもでき、またこのプログラムをネットワークを介して流通させることもできる。
【００１３】
【発明の実施の形態】
（１．差替えチェックシステム１の構成）
以下、図面に基づいて本発明の実施の形態を詳細に説明する。図１及び図２は、本発明の実施の形態に係る差替えチェックシステム１の構成を示す図である。図１、図２の詳細については、図３の処理手順と併せて後述する。本実施の形態の差替えチェックシステム１は、ＤＴＰドキュメントレイアウト機能の一つであり、コンピュータ３と、表示装置４と、記憶装置５とからなる。
【００１４】
図１の記憶装置５は、作成したドキュメントファイルを記憶するドキュメントファイルフォルダ７と、低解像度画像ファイルフォルダ９と、高解像度画像ファイルフォルダ１１とからなり、それぞれのフォルダにはリンクが張られている。
【００１５】
低解像度画像ファイルフォルダ９には、ドキュメントのレイアウト作成時に使用される位置決め用の低解像度画像が記録されている。それぞれの低解像度画像に対し、差替えに必要な高解像度画像が、高解像度画像ファイルフォルダ１１に記録されている。
【００１６】
即ち、ドキュメントファイルフォルダ７に記憶されているドキュメントファイル中に配置される画像は、低解像度画像ファイルフォルダ９に記憶されている画像又は、高解像度画像ファイルフォルダ１１に記憶されている画像とリンクされている。尚、ＤＴＰデザイナはドキュメントのレイアウト作成時には、位置決め用に専ら低解像度画像を使用する。低解像度画像は例えばプレビュー画像を含むＥＰＳ（Ｅｎｃａｐｓｕｌａｔｅｄ  Ｐｏｓｔ  Ｓｃｒｉｐｔ）ファイルとして低解像度ファイルフォルダ９に記憶される。
【００１７】
編集が終了したドキュメントが、印刷会社等に入稿され、イメージセッタ等の出力機へ出力されるときは、位置決め用の低解像度画像は、手作業で、出力用の高解像度画像ファイルフォルダ１１中の高解像度画像に差替えられる。
【００１８】
コンピュータ３の処理内容である、［Ａ：差替え画像の選択］１０１、「Ｃ：差替え画像にマーク」１０２、「差替えチェック」１０４、「結果表示」１０５の詳細については後述する。また、「差替え作業」１０３は、オペレータがＤＴＰレイアウトソフト上で低解像度画像を高解像度画像に手作業で差替える作業である。
【００１９】
図２に示す記憶装置５は、図１に示すフォルダに加えて、選択画像リストファイルフォルダ１３を有する。図１と共通する、ドキュメントファイルフォルダ７、低解像度画像ファイルフォルダ９、高解像度ファイルフォルダ１１についての説明は図１の説明と同じである。選択画像リストファイルフォルダ１３は、差替えるべき低解像度画像をＤＴＰドキュメントのレイアウト上で選択した時に新たに作成される画像のリストが記録されるフォルダである。
【００２０】
コンピュータ３の処理内容である、「Ｂ：差替え画像の選択」２０１、「Ｄ：差替え画像にマーク・選択画像リスト作成」２０２、「差替えチェック」２０４、「結果表示」２０５の詳細については後述する。また、「差替え作業」２０３は、オペレータがＤＴＰレイアウトソフト上で低解像度画像を高解像度画像に手作業で差替える作業である。
【００２１】
表示装置４は、ＤＴＰドキュメントの編集、差替え画像の選択、差替え画像へのマーク、結果表示等の工程を表示するＣＲＴ等の表示装置である。
【００２２】
（２．差替えチェックシステム１の処理手順）
次に本実施の形態の差替えチェックシステム１の処理手順を説明する。図３に、差替えチェックシステム１のフローチャートを示す。
【００２３】
尚、図３の、「差替え画像の選択（ステップ３０１）」方法には、「Ａ：ドキュメント上で画像を選択する（ステップ３０２）」方法と、「Ｂ：差替え画像のフォルダ、又はファイルを指定する（ステップ３０３）」方法とがある。また、「差替え画像にマーク（ステップ３０４）」する方法には、「Ｃ：差替え画像ファイルにマークを書き込む（ステップ３０５）」方法と、「Ｄ：記憶装置５に選択画像リストファイルフォルダ１３を作成する（ステップ３０６）」方法とがある。
【００２４】
差替え画像の選択は、方法Ａ、Ｂの何れでもよく、差替え画像のマーク方法も、方法Ｃ、Ｄの何れでもよい。前述の、図１は、差替え画像の選択は方法Ａ、差替え画像のマークは方法Ｃを選択する例を示したものである。又、図２は、差替え画像の選択は方法Ｂ、差替え画像のマークは、方法Ｄを選択する例を示したものである。図３に示すフローチャートに沿って、方法Ａ、Ｃを選択する場合を図１を用い、方法Ｂ、Ｄを選択する場合を図２を用いて説明する。
【００２５】
（２．１  処理手順第１の例）
まず、方法Ａ、Ｃを選択する場合を図１、及び図３に沿って説明する。ＤＴＰドキュメントのデザイナによって、ＤＴＰレイアウトソフト（ドキュメント編集手段）上で、図４のようにドキュメント２１が作成される。ドキュメント２１には、テキスト２３やプレビュー画像ＡＡＡ２５、プレビュー画像ＢＢＢ２７が配置されている。
【００２６】
この、プレビュー画像ＡＡＡ２５、プレビュー画像ＢＢＢ２７は、ドキュメント２１のレイアウト作成用の位置決め用低解像度画像であり、それぞれのプレビュー画像を含むＥＰＳ（Ｅｎｃａｐｓｕｌａｔｅｄ  Ｐｏｓｔ  Ｓｃｒｉｐｔ）ファイルとして低解像度ファイルフォルダ９に記憶されている。ドキュメント２１は、ドキュメントファイルフォルダ７に記憶されている。
【００２７】
印刷会社等に、編集作業の終了したＤＴＰドキュメントが入稿されると、イメージセッタ等の出力機へドキュメントを出力する前に、低解像度画像を高解像度画像に差替える作業を行う必要がある。オペレータは、差替え画像の選択（ステップ３０１）を行う為、まず対象となるドキュメント２１を記憶装置５のドキュメントファイルフォルダ７からコンピュータ３に読み出す（図１のステップ１２１）。
【００２８】
図４は、コンピュータ３の表示装置４に表示されるドキュメント２１を示す。ドキュメント２１に配置されるプレビュー画像ＡＡＡ２５は、低解像度画像ファイルフォルダ９中のファイル「ＡＡＡ＿ｌｏｗ」にリンクされる。図４中のファイル名の下線は、リンクされていることを示している。同様にプレビュー画像ＢＢＢ２７は、ファイル「ＢＢＢ＿ｌｏｗ」にリンクされる。
【００２９】
オペレータは、差替え画像の選択（ステップ３０１）を方法Ａにて行う（図１の「Ａ：差替え画像の選択」１０１）。即ち、表示装置４に表示させたドキュメント２１上の差替えたい画像（例えばプレビュー画像ＡＡＡ２５）を選択する（ステップ３０２、図１のステップ１２２）。
【００３０】
次にオペレータは、差替え画像にマーク（ステップ３０４）を方法Ｃにて行う（図１の「Ｃ：差替え画像にマーク」１０２）。即ち、表示装置４画面上の「画像差替え」ボタン２８をクリックすることにより、選択されていた差替え画像のリンク先であるファイルに、差替え指示されたことを示すマークが書き込まれる（ステップ３０５、図１のステップ１２３）。例えばプレビュー画像ＡＡＡ２５、プレビュー画像ＢＢＢ２７ともに差替え指示がされたとすると、図５に示すように、それぞれのプレビュー画像のリンク先である低解像度画像ファイルフォルダ９内のファイルにマークが書き込まれる。
【００３１】
図６は、実際にファイルに書き込まれるマークの例を示す。図６は、「画像ＡＡＡの低解像度画像ファイル」２９、「ＡＡＡ＿ｌｏｗ」である。例えばファイルは、ＥＰＳ（Ｅｎｃａｐｓｕｌａｔｅｄ  Ｐｏｓｔ  Ｓｃｒｉｐｔ）ファイルであり、ファイル中のコメント行などに選択されたことを示すマーク３１が挿入される。
【００３２】
次に、低解像度画像から高解像度画像への差替え作業が行われる（ステップ３０７、図１の１０３）。即ちＤＴＰレイアウト編集用の低解像度画像は、ファイルサイズの大きい高解像度画像に差替えられる。高解像度画像は低解像度画像に比して画素数が多く画質が高い。低解像度画像から高解像度画像への差替えは、オペレータによる細かいトリミングや画像のサイズ変更等が行われる場合もあるので、指定された画像が自動的に差替えられるわけではない。
【００３３】
図７に差替え作業終了後のドキュメント２１を示す。オペレータが「チェック」ボタン３０をクリックすると、画像の差替え処理が正確に行われたかどうかをチェックするため、差替え終了後のドキュメント２１中の画像がリンクするファイルの中のマークがチェックされる（ステップ３０８、図１の１０４）。
【００３４】
即ち、ドキュメント２１に配置されたプレビュー画像のリンク先がチェックされ、リンク先のファイルのマークの有無がチェックされる。図７では、プレビュー画像ＡＡＡ２５のリンク先は、高解像度画像ファイルフォルダ１１にあるファイル「ＡＡＡ＿ｈｉｇｈ（マーク無）」、プレビュー画像ＢＢＢ２７のリンク先は、低解像度画像ファイルフォルダ９にあるファイル「ＢＢＢ＿ｌｏｗ（マーク済）」である。
【００３５】
即ちプレビュー画像ＢＢＢ２７は、差替えマークを行ったにも関わらず、チェック時にマークが残っているということで、差替え忘れであると判定される。
【００３６】
表示装置４には、例えば図８に示すように「警告  画像ＢＢＢは、差替えが終了していません。」のような警告表示３３がなされる（ステップ３１０、図１の１０５）。
【００３７】
（２．２  処理手順第２の例）
次に、図３において方法Ｂ、Ｄを選択する場合を図２、及び図３に沿って説明する。ＤＴＰドキュメントのデザイナによって、ＤＴＰレイアウトソフト（ドキュメント編集手段）上で、図９のようにドキュメント２１が作成される。ドキュメント２１には、テキスト２３やプレビュー画像ＡＡＡ２５、プレビュー画像ＢＢＢ２７が配置されている。
【００３８】
この、プレビュー画像ＡＡＡ２５、プレビュー画像ＢＢＢ２７は、ドキュメント２１のレイアウト作成用の位置決め用低解像度画像であり、それぞれのプレビュー画像を含むＥＰＳ（Ｅｎｃａｐｓｕｌａｔｅｄ  Ｐｏｓｔ  Ｓｃｒｉｐｔ）ファイルとして低解像度ファイルフォルダ９に記憶されている。ドキュメント２１は、ドキュメントファイルフォルダ７に記憶される。
【００３９】
印刷会社等に、編集作業の終了したＤＴＰドキュメントが入稿されると、イメージセッタ等の出力機へドキュメントを出力する前に、低解像度画像を高解像度画像に差替える作業を行う必要がある。オペレータは、差替え画像の選択（ステップ３０１）を方法Ｂにて行う（図２の「Ｂ：差替え画像の選択」２０１）。即ち、ドキュメント２１に配置されるプレビュー画像のうち、差替えを行うファイル、又はフォルダ直接指定する（ステップ３０３）。指定方法としては、直接ファイル名やフォルダ名を入力するようにしてもよいし、ファイル名リストを表示させてその中から選択するようにしてもよい。
【００４０】
例えば、オペレータは図９のように、ドキュメント２１を表示装置４に表示させ、画面上の「ファイルリスト表示」ボタン３８をクリックして、図１０に示すフォルダ・ファイルリスト４１を表示させる。例えばフォルダ名「ＢＩＲＤ」内にあるファイル全てを高解像度画像に差替える場合は、フォルダ名「ＢＩＲＤ」の前のチェック欄４３にチェックを入れる。個々のファイル名から指定する場合は、ファイル名４９ごとのチェック欄４７にチェックを入れる。図１０に示したフォルダ・ファイルリスト４１は一例であり、その他の指定方法であってもよい。
【００４１】
次にオペレータは、差替え画像にマーク（ステップ３０４）する処理を、方法Ｄにて行う（図２の「Ｄ：差替え画像にマーク・選択画像リスト作成」２０２）。即ち、図９、図１０で説明すると、「画像差替え」ボタン５１をクリックすることにより、フォルダ・ファイルリスト４１の中のチェックされているファイル「ＡＡＡ＿ｌｏｗ」、「ＢＢＢ＿ｌｏｗ」と、高解像度画像フォルダ指定５０で指定したフォルダ内の高解像度画像ファイル１１のファイル名を比較して、高解像度画像ファイルフォルダ１１の中から対応するファイル名「ＡＡＡ＿ｈｉｇｈ」、「ＢＢＢ＿ｈｉｇｈ」が抽出される。そして、差替えを指定された、ファイル名「ＡＡＡ＿ｈｉｇｈ」、「ＢＢＢ＿ｈｉｇｈ」等のリストファイルを有する選択画像リストファイルフォルダ１３が、新たに記憶装置５内に作成される（ステップ３０６、図２のステップ２２３）。
【００４２】
次に、低解像度画像から高解像度画像への差替え作業が行われる（ステップ３０７、図２の２０３）。
【００４３】
図１１に差替え作業終了後のドキュメント２１を示す。オペレータが「チェック」ボタン３０をクリックすると、画像の差替え処理が正確に行われたかどうかがチェックされる。即ち、差替え終了後のドキュメント２１中の画像がリンクするファイル名が、選択画像リストファイルフォルダ１３にリストアップされているファイル名と一致しているかどうかがチェックされる（ステップ３０９、図２の２０４、２２４、２２５）。
【００４４】
即ち、プレビュー画像のリンク先のファイル名と、選択画像リストファイルフォルダ１３内のファイル名が一致していなければ、差替え忘れであると判定される。例えば図１１では、プレビュー画像ＡＡＡ２５のリンク先は、高解像度画像ファイルフォルダ１１にあるファイル「ＡＡＡ＿ｈｉｇｈ」であり、選択画像リストファイルフォルダ１３内のファイル名に一致する。それに対し、プレビュー画像ＢＢＢ２７のリンク先は、低解像度画像ファイルフォルダ９にあるファイル「ＢＢＢ＿ｌｏｗ」であり、選択画像リストファイルフォルダ１３内のファイル名と一致しない。従ってプレビュー画像ＢＢＢ２７は、差替え忘れであると判定される。
【００４５】
表示装置４には、例えば図８に示すように「警告  画像ＢＢＢは、差替えが終了していません。」のような警告表示３３がなされる（ステップ３１０、図２の２０５）。
【００４６】
その他）
尚、差替え画像の選択方法として方法Ａ、Ｂ、差替え画像マーク方法として方法Ｃ、Ｄがあり、上述では、第１の例として方法Ａ、Ｃの組み合わせ、第２の例として方法Ｂ、Ｄの組み合わせを説明した。さらに第３の例として方法Ａ、Ｄの組み合わせ、第４の例として方法Ｂ、Ｃの組み合わせがある。これらは、上述の方法を入れ替えれば良いので、説明は省略する。
【００４７】
効果等）
このように、本実施の形態によれば、ＤＴＰ出力作業時に、差替え忘れによる工程の戻りや、確認作業のための時間を削減できる。また、特にＤＴＰドキュメントのデザイン段階でこのシステムを利用し、印刷会社への入稿段階で差替え画像へのマーク（図３のステップ３０４）が行われていれば、印刷会社側のＤＴＰオペレータが差替え画像へのマークを行う作業を削減でき、さらに効率は向上する。また、ＤＴＰドキュメントのデザイナ自身が差替え画像の指示、及びマーク処理を行うことで、マークミス等を低減できる効果がある。
【００４８】
尚、上記の実施の形態では、差替える画像を選択する方法について説明したが、差替え画像点数の方が、非差替え画像の点数より多い場合などは、効率を上げるために、差替える画像を選択するのではなく、差替えない画像を選択してマークするようにしてもよい。
【００４９】
尚、本発明の技術的範囲は、前述した実施の形態に限られるものではない。当業者であれば、本願で開示した技術的思想の範疇内において、各種の変更例または修正例に想到し得ることは明らかであり、それらについても当然に本発明の技術的範囲に属するものと了解される。
【００５０】
【発明の効果】
以上、詳細に説明したように本発明によれば、ＤＴＰドキュメントの画像差替え作業のミスの低減と、効率の向上をはかる差替えチェックシステムを提供することができる。
【図面の簡単な説明】
【図１】本発明の実施の形態に係る差替えチェックシステム１の構成を示す図
【図２】本発明の別の実施の形態に係る差替えチェックシステム１の構成を示す図
【図３】差替えチェックシステム１のフローチャート
【図４】ドキュメント２１と低解像度画像ファイル９のリンクを示す図
【図５】低解像度画像ファイルへのマークを示す図
【図６】低解像度画像ファイルへのマークを示す図
【図７】ドキュメント２１の差替えチェック示す図
【図８】警告表示３３を示す図
【図９】差替え用選択画像リストファイルの作成を示す図
【図１０】フォルダ・ファイル名リスト４１を示す図
【図１１】ドキュメント２１の差替えチェック示す図
【符号の説明】
１・・・  差替えチェックシステム
３・・・  コンピュータ
４・・・  表示装置
５・・・  記憶装置
７・・・  ドキュメントファイルフォルダ
９・・・  低解像度画像ファイルフォルダ
１１・・・  高解像度画像ファイルフォルダ
１３・・・  選択画像リストファイルフォルダ
１５・・・  リンク
２１・・・  ドキュメント
２３・・・  テキスト
２５、２７・・・  プレビュー画像
２８、３０、５１、５３・・・  ボタン
２９・・・  画像ＡＡＡの低解像度画像ファイル
３１・・・  マーク
３３・・・  警告表示
３５・・・  参照
３７・・・  選択画像リストファイルの作成
３９・・・  比較
４１・・・  リスト
４３、４７・・・  チェック
４５・・・  フォルダ名
４９・・・  ファイル名
５０・・・  高解像度ファイルフォルダ指定
【図１】
2004220064.tif 000003
【図２】
2004220064.tif 000004
【図３】
2004220064.tif 000005
【図４】
2004220064.tif 000006
【図５】
2004220064.tif 000007
【図６】
2004220064.tif 000008
【図７】
2004220064.tif 000009
【図８】
2004220064.tif 000010
【図９】
2004220064.tif 000011
【図１０】
2004220064.tif 000012
【図１１】
2004220064.tif 000013